(57)【要約】【課題】操作に慣れた利用者でも、初めて扱う人でも分かり易い操作性を実現することのできる表示装置、及び、表示プログラムを提供する。【解決手段】携帯電話１は、メインメニュー設定テーブル７０１に基づいて各種機能を象徴化したアイコン画像を表示部２０に一覧表示し、その一覧表示から次の指示入力がカーソルスイッチ３０３から行なわれるまでに所定時間が経過した場合、そのメインメニュー設定テーブル７０１に格納されたアイコン画像毎の名称をアイコン画像に重畳して半透過の状態で表示する。また、携帯電話１は、カーソルスイッチ３０３により選択されたアイコン画像の名称とそのアイコン画像に対応する機能の説明とを名称表示領域Ｇ１２１，説明表示領域Ｇ１２２に表示する。【選択図】図６
2010238244.tif 000002
【特許請求の範囲】
【請求項１】
複数の選択肢を表示手段に表示させる第１の表示制御手段と、
前記複数の選択肢のうち、所望の選択肢を選択させる選択手段と、
当該選択手段によって選択肢が選択された頻度を前記複数の選択肢毎に記憶する頻度記憶手段と、
当該頻度記憶手段によって記憶された各頻度に基づいて、前記複数の選択肢に対応する名称を表示させるか否かを決定する決定手段と、
当該決定手段によって決定された決定内容に基づいて、前記複数の選択肢に対応する名称の表示を制御する第２の表示制御手段と、
を備えたことを特徴とする表示装置。
【請求項２】
前記第２の表示制御手段は、
前記決定手段によって、名称を表示させると決定された場合、前記第１の表示制御手段によって前記複数の選択肢が表示された後、所定時間経過してから選択肢に対応する名称を当該選択肢の位置に表示させる、
ことを特徴とする請求項１に記載の表示装置。
【請求項３】
前記決定手段は、
前記頻度記憶手段によって記憶された前記複数の選択肢毎の頻度の平均値に基づいて、前記複数の選択肢に対応する名称を表示させるか否かを決定する、
ことを特徴とする請求項１に記載の表示装置。
【請求項４】
前記決定手段は、
前記頻度記憶手段によって記憶された前記複数の選択肢毎の頻度に基づいて、前記複数の選択肢毎に当該選択肢に対応する名称を表示させるか否かを決定する、
ことを特徴とする請求項１に記載の表示装置。
【請求項５】
前記決定手段によって、名称を表示させると決定された場合、前記第１の表示制御手段によって前記複数の選択肢が表示されてから前記複数の選択肢に対応する名称を表示させるまでの時間を設定する設定手段を更に備え、
前記第２の表示制御手段は、
前記決定手段によって、名称を表示させると決定された場合、前記第１の表示制御手段によって前記複数の選択肢が表示された後、前記設定手段によって設定された所定時間後に選択肢に対応する名称を当該選択肢の位置に表示させる、
ことを特徴とする請求項１に記載の表示装置。
【請求項６】
前記設定手段は、
前記頻度記憶手段によって記憶された前記複数の選択肢毎の頻度の平均値に基づいて、前記第１の表示制御手段によって前記複数の選択肢が表示されてから前記複数の選択肢に対応する名称を表示させるまでの時間を設定し、
前記第２の表示制御手段は、
前記第１の表示制御手段によって前記複数の選択肢が表示された後、前記設定手段によって設定された平均値に基づく所定時間後に前記複数の選択肢に対応する名称を当該選択肢の位置に表示させる、
ことを特徴とする請求項５に記載の表示装置。
【請求項７】
前記設定手段は、
前記頻度記憶手段によって記憶された前記複数の選択肢毎の頻度に基づいて、前記第１の表示制御手段によって前記複数の選択肢が表示されてから選択肢に対応する名称を表示させるまでの時間を選択肢毎に設定し、
前記第２の表示制御手段は、
前記決定手段によって、前記複数の選択肢のうち名称を表示させると決定された選択肢に対して、前記第１の表示制御手段によって前記複数の選択肢が表示された後、前記設定手段によって選択肢毎に設定された所定時間後に当該選択肢に対応する名称を当該選択肢の位置に表示させる、
ことを特徴とする請求項５に記載の表示装置。
【請求項８】
前記第２の表示制御手段は、前記第１の表示制御手段によって表示された前記複数の選択肢に重畳して、当該選択肢に対応する名称を表示させる、
ことを特徴とする請求項１に記載の表示装置。
【請求項９】
前記第２の表示制御手段は、前記第１の表示制御手段によって前記複数の選択肢が表示された位置に半透過の状態で、当該選択肢に対応する名称を表示させる、
ことを特徴とする請求項１に記載の表示装置。
【請求項１０】
前記複数の選択肢は、メニュー画面上の機能を象徴化したアイコン画像である、
ことを特徴とする請求項１に記載の表示装置。
【請求項１１】
コンピュータを、
複数の選択肢を表示手段に表示させる第１の表示制御手段、
前記複数の選択肢のうち、所望の選択肢を選択させる選択手段、
当該選択手段によって選択肢が選択された頻度を前記複数の選択肢毎に記憶する頻度記憶手段、
当該頻度記憶手段によって記憶された各頻度に基づいて、前記複数の選択肢に対応する名称を表示させるか否かを決定する決定手段、
当該決定手段によって決定された決定内容に基づいて、前記複数の選択肢に対応する名称の表示を制御する第２の表示制御手段、
として機能させることを特徴とする表示プログラム。
【発明の詳細な説明】
【技術分野】
【０００１】
本発明は、複数の選択肢を表示させる表示装置、及び、表示プログラムに関する。
【背景技術】
【０００２】
近年、携帯電話などの携帯情報端末においては、主な機能である無線通信による電話の他に、インターネットの情報を閲覧する機能、アドレス（連絡先）を管理する機能、スケジュールを管理する機能、又はＧＰＳ（Global Positioning System）としての機能などを備えたより多機能なものが開発されている。
【０００３】
この多機能な携帯情報端末では、小型のＬＣＤ（Liquid Crystal Display）などによる表示画面が設けられており、この限られた表示画面内において多様な機能の選択起動を行えるように、各機能の起動に対応したアイコンを複数表示することが一般的である。このアイコン表示では、処理の内容や対象を小さな絵や記号などで象徴的に表示するため、限られた表示領域に複数表示できるとともに、利用者に対して直感的に処理の内容や対象を認識させることができる。
【０００４】
例えば、特許文献１には、所望のアイコンに所定の機能を起動するショートカット機能を割り当てることで当該アイコンの選択時に利用者が望む機能の利用を可能にするとともに、そのアイコンを着信の待機中の画面である待ち受け画面に表示することで使い勝手を向上させる携帯電話における技術が公開されている。
【先行技術文献】
【特許文献】
【０００５】
【特許文献１】特開２００３−１９８７０５号公報
【発明の概要】
【発明が解決しようとする課題】
【０００６】
しかしながら、上述のアイコン表示は、情報機器の操作に慣れている人が機能を想起できるような絵や記号で象徴的な表示を行なうため、初めて扱う人にとっては未だに扱いづらいものであった。
【０００７】
扱い慣れない人のためにアイコン表示とともに補足としてアイコンの簡単な説明文を表示するガイド表示を行なう構成もあるが、この場合は、ガイド表示のためにアイコンが認識し難くなる他、逆に見易くしようとするとアイコンの表示数が少なく制限されてしまい、機能の選択に関する利便性を損ねてしまう恐れがあった。逆に、ガイド表示をした場合、操作に慣れている人にとっては、機能の選択に関する利便性を損ねるだけでなく、ガイド表示がアイコン表示と重なるなどによるアイコン表示への影響により、操作性を損なう恐れがあった。
【０００８】
そこで、本発明は、操作に慣れた利用者でも、初めて扱う人でも分かり易い操作性を実現することのできる表示装置、及び、表示プログラムを提供することを目的とするものである。
【課題を解決するための手段】
【０００９】
上記課題を解決するために請求項１に記載の発明は、表示装置において、
複数の選択肢を表示手段に表示させる第１の表示制御手段と、
前記複数の選択肢のうち、所望の選択肢を選択させる選択手段と、
当該選択手段によって選択肢が選択された頻度を前記複数の選択肢毎に記憶する頻度記憶手段と、
当該頻度記憶手段によって記憶された各頻度に基づいて、前記複数の選択肢に対応する名称を表示させるか否かを決定する決定手段と、
当該決定手段によって決定された決定内容に基づいて、前記複数の選択肢に対応する名称の表示を制御する第２の表示制御手段と、
を備えたことを特徴とする。
【００１０】
請求項２に記載の発明は、請求項１に記載の発明において、
前記第２の表示制御手段は、
前記決定手段によって、名称を表示させると決定された場合、前記第１の表示制御手段によって前記複数の選択肢が表示された後、所定時間経過してから選択肢に対応する名称を当該選択肢の位置に表示させる、
ことを特徴とする。
【００１１】
請求項３に記載の発明は、請求項１に記載の発明において、
前記決定手段は、
前記頻度記憶手段によって記憶された前記複数の選択肢毎の頻度の平均値に基づいて、前記複数の選択肢に対応する名称を表示させるか否かを決定する、
ことを特徴とする。
【００１２】
請求項４に記載の発明は、請求項１に記載の発明において、
前記決定手段は、
前記頻度記憶手段によって記憶された前記複数の選択肢毎の頻度に基づいて、前記複数の選択肢毎に当該選択肢に対応する名称を表示させるか否かを決定する、
ことを特徴とする。
【００１３】
請求項５に記載の発明は、請求項１に記載の発明において、
前記決定手段によって、名称を表示させると決定された場合、前記第１の表示制御手段によって前記複数の選択肢が表示されてから前記複数の選択肢に対応する名称を表示させるまでの時間を設定する設定手段を更に備え、
前記第２の表示制御手段は、
前記決定手段によって、名称を表示させると決定された場合、前記第１の表示制御手段によって前記複数の選択肢が表示された後、前記設定手段によって設定された所定時間後に選択肢に対応する名称を当該選択肢の位置に表示させる、
ことを特徴とする。
【００１４】
請求項６に記載の発明は、請求項５に記載の発明において、
前記設定手段は、
前記頻度記憶手段によって記憶された前記複数の選択肢毎の頻度の平均値に基づいて、前記第１の表示制御手段によって前記複数の選択肢が表示されてから前記複数の選択肢に対応する名称を表示させるまでの時間を設定し、
前記第２の表示制御手段は、
前記第１の表示制御手段によって前記複数の選択肢が表示された後、前記設定手段によって設定された平均値に基づく所定時間後に前記複数の選択肢に対応する名称を当該選択肢の位置に表示させる、
ことを特徴とする。
【００１５】
請求項７に記載の発明は、請求項５に記載の発明において、
前記設定手段は、
前記頻度記憶手段によって記憶された前記複数の選択肢毎の頻度に基づいて、前記第１の表示制御手段によって前記複数の選択肢が表示されてから選択肢に対応する名称を表示させるまでの時間を選択肢毎に設定し、
前記第２の表示制御手段は、
前記決定手段によって、前記複数の選択肢のうち名称を表示させると決定された選択肢に対して、前記第１の表示制御手段によって前記複数の選択肢が表示された後、前記設定手段によって選択肢毎に設定された所定時間後に当該選択肢に対応する名称を当該選択肢の位置に表示させる、
ことを特徴とする。
【００１６】
請求項８に記載の発明は、請求項１に記載の発明において、
前記第２の表示制御手段は、前記第１の表示制御手段によって表示された前記複数の選択肢に重畳して、当該選択肢に対応する名称を表示させる、
ことを特徴とする。
【００１７】
請求項９に記載の発明は、請求項１に記載の発明において、
前記第２の表示制御手段は、前記第１の表示制御手段によって前記複数の選択肢が表示された位置に半透過の状態で、当該選択肢に対応する名称を表示させる、
ことを特徴とする。
【００１８】
請求項１０に記載の発明は、請求項１に記載の発明において、
前記複数の選択肢は、メニュー画面上の機能を象徴化したアイコン画像である、
ことを特徴とする。
【００１９】
更に、請求項１に記載の発明に示した主要な機能を実現させるための表示プログラムを提供する（請求項１１に記載の発明）。
【発明の効果】
【００２０】
本発明によれば、操作に慣れた利用者でも、初めて扱う人でも分かり易い操作性を実現することのできる表示装置、及び、表示プログラムを提供することができる。
【図面の簡単な説明】
【００２１】
【図１】本発明である携帯電話１の外観図である。
【図２】携帯電話１の機能的構成を模式的に示す図である。
【図３】（ａ）は、メインメニュー設定テーブル７０１の構成を例示する図であり、（ｂ）は、表示時間設定テーブル７０２の構成を例示する図である。
【図４】本発明の実施の形態における機能表示処理を示すフローチャートである。
【図５】変形例１におけるタイマースタート処理を示すフローチャートである。
【図６】（ａ）は、表示部２０にアイコン画像によるメインメニュー表示を例示する図であり、（ｂ）は、メインメニュー表示においてアイコン画像に機能名称を重畳表示したことを例示する図であり、（ｃ）は、他の画面レイアウトの一例を示す図である。
【発明を実施するための形態】
【００２２】
以下、この発明における実施の形態について説明するが、この発明は、この実施の形態に限定されない。また、この発明の実施の形態は発明の最も好ましい形態を示すものであり、発明の用語はこれに限定されない。
【００２３】
先ず、本発明である機能表示装置を適用した携帯電話１の外観について、図１を参照して説明する。
携帯電話１は、その外観において、表示部２０，入力部３０，マイク４０，電話用スピーカ５０１，外部スピーカ５０２及び通信アンテナ６２を備えて構成される。
【００２４】
表示部２０は、バックライト付きカラーＬＣＤ（Liquid  Crystal  Display）やＬＥＤ（Luminescent  Electronic  Display）で構成され、携帯電話１の操作に係る各種情報や受信した情報などを表示する。
【００２５】
入力部３０は、数字スイッチの他に、メニュースイッチ３０１，表示スイッチ３０２，カーソルスイッチ３０３，決定スイッチ３０４，クリアスイッチ３０５，オフフックスイッチ３０６及びオンフックスイッチ３０７を備えて構成される。
【００２６】
各数字スイッチには、”０”〜”９”の数字と、平仮名と、英字とが対応づけられている。利用者は、所定の操作により数字モード、仮名モード及び英字モードの何れかの入力モードに切り替えて、各文字の入力（以下、文字の入力のことを「データ入力」という。）を行なう。例えば、”２”には、「か行」の平仮名５文字と、英字の「Ａ」〜「Ｃ」とが対応づけられている。仮名モードのときは、数字スイッチを押下する回数に応じて、「か」〜「こ」の平仮名が選択され、また、英字モードのときは、「Ａ」〜「Ｃ」の英字が選択される。
【００２７】
メニュースイッチ３０１は、メニュー画面を表示させるためのスイッチである。表示スイッチ３０２は、電子メールなどの送信した情報を表示する専用のメニュー画面を表示させるためのスイッチである。カーソルスイッチ３０３は、画面のスクロールや選択操作を行なうためのスイッチであり、上下左右４方向を検出可能に構成される。例えば、利用者は、表示スイッチ３０２を押下して表示部２０に表示される電子メールのメニュー画面上の項目やフォルダなどをカーソルスイッチ３０３で選択し、決定スイッチ３０４を押下（オン）することにより、その選択された項目の詳細情報を表示部２０に表示させる。
【００２８】
クリアスイッチ３０５は、入力内容をクリアしたり、画面状態を直前の画面に戻したりするためのスイッチである。オフフックスイッチ３０６は、入力された電話番号への発信や、着信時に通話を開始させるためのスイッチであり、オンフックスイッチ３０７は、通話を終了させるためのスイッチである。また、オンフックスイッチ３０７は、携帯電話１の電源スイッチとしても機能し、所定時間（例えば、３秒）押下され続けると、携帯電話１の電源投入／遮断（オン／オフ）の切り替えが行なわれる。
【００２９】
次に、図２を参照して、携帯電話１の機能的構成の一例を説明する。携帯電話１は、ＣＰＵ１０（Central  Processing  Unit），表示ドライバ２１によって制御される表示部２０，入力部３０，マイク４０，スピーカ５０，通信アンテナ６２によって通話信号の送受信やデータ通信をおこなうＲＦブロック６０，記憶部７０及びＲＡＭ８０（Random  Ac
cess  Memory）を備えて構成される。
【００３０】
ＣＰＵ１０は、入力される指示に応じて所定のプログラムに基づいた処理を実行し、各機能部への指示やデータの入出力をおこなう。具体的には、ＣＰＵ１０は、入力部３０から入力される押下信号に応じて記憶部７０に記憶されたプログラムを読み出し、当該プログラムに従って処理を実行する。そして、処理結果を表示するための表示制御信号を表示ドライバ２１に出力して、当該表示制御信号に従った処理結果を表示部２０に表示させる。
また、ＣＰＵ１０は、特に図示しない常時一定周波数を発信する水晶発振器によるクロック信号を基準に動作するとともに、当該クロック信号を計数して現在時刻を計時して時間を計測する機能を備える。
【００３１】
また、ＣＰＵ１０は、記憶部７０に記憶された画面表示プログラムを順次実行することで、表示部２０に文字やアイコン画像による各種機能プログラムの一覧表示と入力部３０からの操作によりそれら各種機能プログラムを選択が可能なポインタの表示とを行なう。そして、所定の機能プログラムが選択された状態で決定スイッチ３０４の押下を検出した場合には、記憶部７０におけるそのプログラムのパスやポインタを指定することで対応する機能を実現するプログラムの実行を行なう。
【００３２】
尚、携帯電話１は、画像や音声の信号処理用にＤＳＰ（Digital  Signal  Processor）を具備する構成としてもよい。その場合、本実施形態におけるＣＰＵ１０と、ＤＳＰとを同一のＬＳＩパッケージに組み込み、一体の回路として構成することとしてもよいし、ＣＰＵ１０がＤＳＰとしての機能を記憶部７０に記憶されたプログラムを読み出してソフト的に実現する構成としてもよい。具体的には、ＤＳＰとは、デジタル信号処理用プロセッサのことであり、音声信号や画像信号を符号化して音声データや映像データを生成したり、逆に符号化された音声データや映像データを復号して音声信号や映像信号を抽出したりする。
【００３３】
表示ドライバ２１は、ＣＰＵ１０から入力される表示制御信号に基づいて表示部２０に適切な駆動電流を供給することで各種画面を表示させる。表示部２０は、携帯電話１の各種画面を表示するための表示装置であり、ＬＣＤやＬＥＤ等で構成される。
【００３４】
入力部３０は、プログラムの実行や、各種情報等の入力に必要なスイッチ群を備えた入力装置であり、利用者によって押下されたスイッチの押下信号をＣＰＵ１０に出力する。
【００３５】
マイク４０は、特に図示しないＡ／Ｄ変換部を備えており、利用者の送話音声をＡ／Ｄ変換し、送話音声データとしてＣＰＵ１０に出力する。
【００３６】
スピーカ５０は、特に図示しないＤ／Ａ変換部を備えており、ＣＰＵ１０から入力される音声信号や、着信音、操作確認音等の音声データをＤ／Ａ変換して音声出力する。尚、スピーカ５０は、図１に示す電話用スピーカ５０１と外部スピーカ５０２とに相当するものである。
【００３７】
ＲＦブロック６０は、ＣＰＵ１０から入力される指示に基づき、通信アンテナ６２を介して特に図示しない無線通信網上の無線通信局との間で無線通信を行なう回路部であり、ＣＰＵ１０と協働することによって外部の情報端末との通話を行なう通話制御部と、外部の情報端末とのデータ通信を行なうメール送受信制御部との機能部が実現される。
【００３８】
通話制御部は、無線通信局からの着呼を示す信号を受信すると、着信音を外部スピーカ５０２から出力させる。また、発呼指示（オフフックスイッチ３０６のオン）が入力されると、入力された電話番号への発信を行ない、無線通信局との間で無線通信回線を形成する。また、通話状態時に、受信した音声信号に基づく音声信号を増幅及び復調して電話用スピーカ５０１に出力するとともに、マイク４０に入力された音声信号に基づく音声データを無線通信局へ無線送信する（この音声データの送受信を「通話処理」という。）。
【００３９】
メール送受信部は、ＲＦブロック６０により通話制御部と排他制御される機能部であり、文字データや画像データ等を含むメールデータを送受信する。具体的には、他の情報機器から送信されて無線通信網上の特に図示しないメールサーバを中継されるメールデータの受信を行ない、受信したメールデータを記憶部７０へ格納するとともに、表示部２０に出力する。また、利用者によって作成されたメールデータをメールサーバを介して他の情報機器へ送信する。
【００４０】
記憶部７０は、メインメニュー設定テーブル７０１，表示時間設定テーブル７０２の他、不図示の画面表示や電話・メールの送受信などを行なうための各種アプリケーションプログラム、各種初期設定、ハードウエアの検査、あるいは必要なプログラムのロードを行なうための初期プログラム、及び電子メールなどの送受信した情報に関するデータを格納する。ＣＰＵ１０は、携帯電話１の電源投入時に上述した初期プログラムを実行することにより、携帯電話１の動作環境を設定する。また、記憶部７０は、携帯電話１の動作に係る各種機能を実現するためのデータやプログラムを格納する。
【００４１】
メインメニュー設定テーブル７０１は、図３（ａ）に示すように、表示部２０に表示する各種機能毎に割り当てられたアイコン画像に関するデータを格納するテーブルであり、各種機能毎のアイコン画像に対して表示部２０における「表示位置」、表示するアイコン画像データの格納先を示す「アイコン画像アドレス」、対応する機能の名称を示す「機能名称」、その機能に関する簡単な説明である「機能説明」に基づいた説明表示を表示部２０に表示した回数を格納する「表示回数」を格納する。なお、「表示回数」は、後述する機能表示処理における「機能名称」に基づいた重畳表示を行なった回数を格納する構成であってもよい。
【００４２】
表示時間設定テーブル７０２は、表示部２０に表示された各アイコン画像を入力部３０からの指示により選択して機能説明を表示した回数又は機能名称を重畳表示した回数である「メインメニュー表示回数」に対応して、アイコンの名称を重畳して表示するまでの時間情報である「名称を表示させるまでの時間」を格納するテーブルである。
【００４３】
ＲＡＭ８０は、ＣＰＵ１０が実行する各種プログラムや、これらプログラムの実行に係るデータ等を一時的に格納するための記憶領域である。
【００４４】
次に、携帯電話１のＣＰＵ１０が行なう待機画面表示時における機能表示に関する表示処理について、図４，図５に示すフローチャートを参照して説明する。図４は、機能表示処理を示すフローチャートであり、図５は、機能表示処理におけるタイマースタート処理を示すフローチャートである。
【００４５】
先ず、ＣＰＵ１０は、表示部２０に壁紙画像などを表示して利用者からの操作指示を受け付ける待機状態において、入力部３０におけるキー操作の検出に基づいた判定を行ない（ステップＳ１１）、特にキー操作が無い場合（ステップＳ１１：Ｎ）にはそのまま終了（待機状態を維持）することで、キー操作が行なわれるまで待機状態を維持する。
【００４６】
ステップＳ１１においてキー操作の入力が検出された場合（ステップＳ１１：Ｙ）、そのキー操作の入力からの時間を計測するタイマーを起動するタイマースタート処理が開始され（ステップＳ１２）、メインメニュー設定テーブル７０１に基づいて表示部２０の表示画面に各種機能をアイコン表示して選択起動が可能なメインメニューを表示した状態に移行される（ステップＳ１３）。
【００４７】
ステップＳ１３におけるメインメニューが表示された表示部２０の表示画面は、図６（ａ）に示すように、画面上部に電波の受信状態、電池残量、メモリーカードなどのオプション機器の接続状態及び時計などを表示するステータス表示領域Ｇ１１、画面中央にメインメニュー表示領域Ｇ１２、画面下部にメニュースイッチ３０１，決定スイッチ３０４，表示スイッチ３０２押下時の機能を表示するサブメニュー表示領域Ｇ１３から構成される。
【００４８】
メインメニュー表示領域Ｇ１２は、各種機能毎に割り当てられたアイコン画像がメインメニュー設定テーブル７０１に基づいて表示される領域であり、「機能名称」に基づいて選択されたアイコン画像の名称を表示する名称表示領域Ｇ１２１，「機能説明」に基づいてその選択されたアイコン画像に割り当てられた機能の簡単な説明を表示する説明表示領域Ｇ１２２及び「表示位置」・「アイコン画像アドレス」に基づいて各種機能一覧を表示するアイコン表示領域Ｇ１２３からなる。また、選択アイコンＧ１２４は、拡大表示により一覧表示されたアイコン画像の中で当該アイコンが選択されたアイコンであることを示すものである。なお、選択アイコンＧ１２４は、キー操作の検出により待機状態からメインメニューの表示を開始した状態、つまりステップＳ１３に移行してすぐの状態では中央のアイコンに選択される。
【００４９】
ステップＳ１３の後、カーソルスイッチ３０３の押圧操作の有無、つまり利用者が選択アイコンＧ１２４を参照しながら行なうアイコンの選択指示が検出され（ステップＳ１４）、特に指示が操作が行なわれない場合（ステップＳ１４：Ｎ）はステップＳ１２で開始されたタイマーがタイムアップする（予め設定された時間になる）まで待機される（ステップＳ１９）。
【００５０】
カーソルスイッチ３０３の押圧操作が検出された場合は（ステップＳ１４：Ｙ）、タイマーのカウントのリセット及びステップＳ１２と同様のタイマースタート処理によるタイマーの再スタートが行なわれ（ステップＳ１５）、選択されていたアイコンに対してカーソルスイッチ３０３により指示された方向のアイコンに選択アイコンＧ１２４が移行されて、その新たに選択されたアイコンに対する「機能名称」・「機能説明」がメインメニュー設定テーブル７０１から読み出され（ステップＳ１６）、名称表示領域Ｇ１２１及び説明表示領域Ｇ１２２の表示がその新たに選択されたアイコンに関するものに差し替えられ（ステップＳ１７）、その新たに選択された選択アイコンＧ１２４に関する表示に差し替えられたメインメニューの表示状態に移行されて（ステップＳ１８）、タイムアップ又は次のカーソルスイッチ３０３の押圧操作が行なわれるまで待機される（ステップＳ１９）。
【００５１】
次いで、タイムアップと判定される、つまり所定の時間内にカーソルスイッチ３０３の押圧操作が検出されない場合は（ステップＳ１９：Ｙ）、タイマーのカウントのリセット及びタイマーの再スタートが行なわれ（ステップＳ２０）、アイコン表示領域Ｇ１２３に表示されているメインメニューアイコンの全ての「機能名称」がメインメニュー設定テーブル７０１から読み出され（ステップＳ２１）、名称表示領域Ｇ１２１及び説明表示領域Ｇ１２２の表示は選択されたアイコンに関するそのままの表示にしてアイコン表示領域Ｇ１２３における選択されたアイコン画像以外の各アイコン画像上に対応する機能名称が半透過の状態で重畳して表示される（ステップＳ２２）。
【００５２】
なお、ステップＳ２２におけるアイコン表示領域Ｇ１２３の表示は、図６（ｂ）に示すように、選択アイコンＧ１２４以外の各アイコン上にそのアイコンに対応する機能名称がアイコンの大きさに合わせた文字の大きさで重畳して表示される。なお、この機能名称の重畳表示は、アイコン画像だけの使用に慣れた利用者の使用感を損なうことがないように、アイコン画像が識別可な文字の大きさや半透過度合いで行なわれることが好ましい。
【００５３】
ステップＳ２２の後、ステップＳ１４と同様にカーソルスイッチ３０３の押圧操作が検出され（ステップＳ２３）、特に操作入力されない場合は（ステップＳ２３：Ｎ）ステップＳ２０でスタートされたタイマーに基づいてタイムアップと判定されるまでステップＳ２２，Ｓ２３の処理を実行するように待機されて（ステップＳ２４）、終了する。また、押圧操作が検出された場合は（ステップＳ２３：Ｙ）、ステップＳ１５からの処理に戻り、タイマーのリセット／タイマースタート処理によるタイマーの再スタートとその操作指示に応じたアイコンが選択されたメインメニュー表示状態（前述の図６（ａ）に示すような状態）に移行される。
【００５４】
以上のように、携帯電話１は、メインメニュー設定テーブル７０１に基づいて各種機能を象徴化したアイコン画像を表示部２０に一覧表示し、その一覧表示から次の指示入力がカーソルスイッチ３０３から行なわれるまでに所定時間が経過した場合、そのメインメニュー設定テーブル７０１に格納されたアイコン画像毎の名称をアイコン画像に重畳して半透過の状態で表示する。また、携帯電話１は、カーソルスイッチ３０３により選択されたアイコン画像の名称とそのアイコン画像に対応する機能の説明とを名称表示領域Ｇ１２１、説明表示領域Ｇ１２２に表示する。
【００５５】
このため、メインメニューが表示された表示部２０の表示画面を確認することにより、利用者は、アイコン表示領域Ｇ１２３における表示を確認することで携帯電話１の各種機能をアイコン画像を通じて直感的に選択することが可能である。名称表示領域Ｇ１２１、説明表示領域Ｇ１２２における表示を確認することでその選択されたアイコン画像に対応する機能の詳細を認識することができ、迅速で的確に機器を取り扱うことができる。
【００５６】
さらに、利用者は、アイコン画像から直感的に各種機能を想起できない場合においても、所定時間の経過後にアイコン画像に重畳表示される機能名称を元に所望する機能を選択する事ができる。また、アイコン画像への重畳表示は、半透過で行なわれるため、習熟した利用者のアイコン画像による直感的な機能の認識を妨げることなく、不慣れな利用者に対する機能の名称を表示することができる。
【００５７】
［変形例］
次に、変形例として、メインメニュー設定テーブル７０１の「表示回数」に基づいて前述の機能表示処理のタイマーを設定する構成を図４、図５を参照して説明する。図５は、機能表示処理におけるタイマースタート処理の詳細を示すフローチャートである。なお、簡略化のために同様の構成については説明を省略し、機能表示処理におけるメインメニュー設定テーブル７０１の「表示回数」のカウント及びタイマーの設定についてのみ説明する。
【００５８】
メインメニュー設定テーブル７０１における「表示回数」のカウントは、選択されたアイコン画像に対応する機能説明の表示を「表示回数」にカウントする場合、ステップＳ１３及びステップＳ１７の「機能説明」に基づいた説明を説明表示領域Ｇ１２２に表示した時にその選択されたアイコン画像に対応する「表示回数」がインクリメントされて行なわれる。また、アイコン画像に対応する機能名称の重畳表示を「表示回数」にカウントする場合は、同図におけるステップＳ２２で重畳表示したアイコン画像に対応する「表示回数」がインクリメントされて行なわれる。
【００５９】
そして、ＣＰＵ１０は、ステップＳ１２におけるタイマースタート処理において、図５に示すように、メインメニュー設定テーブル７０１から各アイコン画像の「表示回数」を読み出し（ステップＳ１２１）、その読み出した「表示回数」の平均値に基づいて表示時間設定テーブル７０２から名称を表示させるまでの時間を読み出し（ステップＳ１２２）、その読み出された時間でタイマーを設定し（ステップＳ１２３）、タイマーをスタートする（ステップＳ１２４）。
【００６０】
以上のように、携帯電話１は、メインメニュー設定テーブル７０１の「表示回数」に基づいて機能表示処理のタイマーを設定する構成であるため、利用者がアイコン画像の名称を確認した度合いや、利用者がアイコン画像に対応する説明を確認した度合いでアイコン画像に対応する名称の重畳表示を行なうまでの時間を調節することができ、利用者の使用回数、習熟度合いに応じた機能表示を行なうことができる。
【００６１】
なお、ステップＳ１２２におけるタイマーの設定時間の読み出しは、平均値に基づいて一つの設定時間を読み出す構成以外に、アイコン画像毎に設定時間を読み出し、ステップＳ１９におけるタイマーの設定時間に基づいたタイムアップの判定を個々に行なうことで、表示頻度の異なるアイコン画像に応じた名称の重畳表示を行なう構成であっても良い。この場合は、利用者の機能毎の習熟度合いに応じた表示を行なうことができる。
【００６２】
なお、本実施の形態における記述は、本発明の一例を示すものであり、これに限定しない。本実施の形態における携帯電話１の細部構成及び細部動作に関しては、本発明の趣旨を逸脱しない範囲で適宜変更が可能である。例えば、本実施の形態では携帯電話について示したが、ＰＤＡ（Personal  Digital  Assistant）やその他の情報端末であって良く、本発明を限定するものではない。
【００６３】
また、表示部２０のメインメニュー表示領域Ｇ１２におけるメインメニューの表示は、図６（ｃ）に示すような円環状のアイコン表示領域Ｇ１２３の中心部分に名称表示領域Ｇ１２１及び説明表示領域Ｇ１２２を配する構成や、特に図示しないリスト状にアイコン画像を配置するなど、他のレイアウトであってもよい。
【００６４】
また、入力部３０によるアイコンの選択指示は、カーソルスイッチ３０３からだけでなく、数字キーなどであっても良く、特に限定しない。さらに、入力部３０は、メインメニュー表示が図６（ｃ）に示すレイアウトのような場合の操作指示に好適なものとして、特に図示しないダイヤル状の指示入力キーを備える構成であってもよい。
【符号の説明】
【００６５】
１  携帯電話
１０  ＣＰＵ
２０  表示部
３０  入力部
７０  記憶部
７０１  メインメニュー設定テーブル
７０２  表示時間設定テーブル
Ｇ１２  メインメニュー表示領域
Ｇ１２１  名称表示領域
Ｇ１２２  説明表示領域
Ｇ１２３  アイコン表示領域
Ｇ１２４  選択アイコン
【図１】
2010238244.tif 000003
【図２】
2010238244.tif 000004
【図３】
2010238244.tif 000005
【図４】
2010238244.tif 000006
【図５】
2010238244.tif 000007
【図６】
2010238244.tif 000008